(57)【要約】【課題】お茶パックやコーヒーパックなどのフィルター用袋において、入口開口部の密封性を向上したまま、内部の充填物をフィルター袋に容易に充填できるようにすること。【解決手段】互いに重なり合うシートの間にポケットを形成するフィルター用袋において、上方部の重なり合った面を下向きに折返した下向き折返し部と再度シートを巻き込まない外方向に上向きに折返し重なり合った面の端の上方端部は、下向き折返し部より上の位置におき、かつフィルター用袋の折返す方向で端側に位置するシートの長さを前記上方端部よりも長く形成されるようにした。【選択図】図２
2013107699.tif 000002
【特許請求の範囲】
【請求項１】
フィルター作用を有し、下端部が繋がり、互いに重なり合うシートについて、上方部の重なり合った面を共に下向き折返し部で下向きに折返し、さらに下向きに折返した部分よりシートの端側にあり重なり合った他の面を再度共に上向きに折返した状態にして、互いに重なり合うシートの左右を接合して、互いに重なり合うシートの間にポケットを形成するフィルター用袋において、
前記再度上向きに折返すのは外向きとし、上向きに折返したときの上方部の重なり合った上方端部は、前記下向き折返し部より上の位置にあり、かつ前記フィルター用袋の前記重なり合った面を上向きに折返す方向で端側に位置するシートの長さは、前記重なり合った上方端部よりも長く形成していることを特徴とするフィルター用袋。
【発明の詳細な説明】
【技術分野】
【０００１】  本発明は、内部に茶葉や粉コーヒーを入れたり、だし取り用のカツオ節等を入れたりするフィルター用袋に関するものである。
【背景技術】
【０００２】  上記のようなフィルター用袋は、内部に茶葉や粉コーヒーあるいはカツオ節等を袋に容易に充填でき、これらを充填したあと袋から漏れ出さないようにするため種々の工夫がなされている。【０００３】  実開昭５９−１３８５６８号公報にはこの種の袋として、パックが開示されている。図８は正面図、図９は図８の中心部の断面図、図１０は使用状態を示す正面図、図１１は図１０の中心部の断面図である。図において、１は、不織布、紙、布切れ等からなる薄片（シート）で、これを折り畳み、上側に端縁と左右に側縁をそれぞれ形成すると共に、この上側の端縁の一方を外向きに折り返してカバー部１ａを形成し、かつこれらの左右両側縁５、６を接合することにより、開口部４０を持つ袋となす。Ｆは充填物である。開口部４０を広げて開口部４０から充填物を入れた後、カバー部１ａを矢印の通り折り返すと図１０、図１１に示すように開口部４０を閉じた状態となる。【０００４】  実開平１−１７８０３８号公報にはこの実開昭５９−１３８５６８号の内容に追加して、この種の袋として、煎じ袋が開示されている。ここでは、図１２、図１３のように、薄片（シート）２の上部を二つ折りにし、内蓋片２ａとなし、この内蓋片により充填物が漏れ出しにくいようにしている。【０００５】  実開平２−２３３６９号公報にはこの種の袋として、パックが開示されている。図１５は正面図、図１６は図１５の中心部の断面図、図１７は使用状態を示す中心部の断面図、図１８はパックを開ける状態を真上から見た図である。袋体は、不織布、紙、布切れ等からなる薄片（シート）で、その対抗する端片の一方が他方に対して長くなるよう、二つ重ねに折り重ね、図１６のように長端片の折込片を１０１、１０２とし、短端片の折込片を２０１とし、これらにより開口部４０を形成する。折込片２０１を折込片１０１、１０２に挿入し、両折込片１０１、１０２、２０１の重なり合った左右側縁接合部５０、６０を含めて左右側縁接合部５、６を接合することにより、開口部４０を持つ袋体となす。Ｆは充填物である。充填物Ｆを袋体内に収納する場合には、上記折込片１０１と折込片２０１の部分を左右の手の指先で持ち図１８のように広げ、指またはスプーンによって折込片１０２の中央部を底部下方へ押し込むことによって、図１８のように袋体を開口することができる。充填物を充填後は、折込片が重なり合っている左右側縁接合部５０、６０を左右に同時に引張ることにより折込片１０１，１０２、２０１が再び互いに寄り添う構成になる。【０００６】  本件出願人の先願にかかる特開２００２−３６９７４８号公報記載の先行例は、図１９に例示するように、フィルター作用を有する、相対面する第１シート１と第２シート２とで内部にポケット４をもつ袋体を構成することを基本構成とする。図１９は正面図、図２０は図１９の中心部の断面図、図２１は開口部４０を外部に対して開放する際の断面の説明図である。この袋体は、第１シートと第２シートとの間にポケット４が形成されるとともに、その開口部４０側をＶ字に折り加工された第１シート上片部１０と第２シート上片部２０のシート重合体（第１シート上片部１０側の第１シート下向き折込片１０１と第１シート上向き折込��１０２及び第２シート上片部２０側の第２シート下向き折込片２０１と第２シート上向き折込片２０２）によって封止されることとなる。本先行例は、特に図２０の断面図で上方からＨ１の範囲は１層構成、Ｈ２の範囲は６層構成とし開口部４０を開け易くしている。図２０に示すように使用前のフィルター用袋は扁平状であり、開口部４０を外部に対して開放するため、第１シート上片部１０の第１シート上向き折込片１０３を指でつまんで右上方に引張ると同時に、第２シート上片部２０の第２シート上向き折込片２０２と第２シート下向き折込片２０１を指でつまんで左下方に引張る。そうすると、第１シート上片部１０側の上向き折返し部１２が上方に引き上げられ、他方、第２シート上片部２０側の下向き折返し部２１が下方に引き下げられ、両折返し部１２、２１の間に隙間ができるようになる。このようにして隙間が形成されると内部ポケット４内に所望の充填物を充填することができる。充填物の充填後は、左右の側縁接合部５、６の上方部（６層重合部）５０、６０をつまんで両方から左右方向に引張れば隙間は閉じられて開口部は封止される。
【先行技術文献】
【特許文献】
【０００７】
【特許文献１】実開昭５９−１３８５６８号  公報
【０００８】
【特許文献２】実開平１−１７８０３８号  公報
【０００９】
【特許文献１】実開平２−２３３６９号  公報
【００１０】
【特許文献３】特開２００２−３６９７４８号  公報
【発明の概要】
【発明が解決しようとする課題】
【００１１】  しかしながら、前記実開昭５９−１３８５６８号公報に開示のパックでは、図９で素材が薄片であるため、相対する面同士が当初引っ付いた状態になっているので、充填物を入れるとき、開口部が開けにくく、また充填物を入れた後、カバー部をつまんで反転させて被覆させ、充填された充填物がこぼれ出さないように図１０のごとくパックの成形をする必要があり、この操作が不十分であると、充填物が漏れ出してしまう。またこの成形をきちんとしていても、沸騰したお湯の中で使用した場合、折返されたカバー部と一方の薄片の隙間を通って充填物が漏れ出してしまう不都合がある。【００１２】  前記実開平１−１７８０３８号公報に開示の煎じ袋では、図１４のようにカバー部を折返すとき、内蓋片２ａが厚くなればなるほど、内蓋片２ａが厚くないときに比しカバー部を内蓋片の上に被せて折返すのに手間がかかり、また開口部において内側の４０ａは密封度が高くなるが、カバー部を折返すときに折り曲げられた内蓋片２ａのため実折返した側４０ｂの密封度は低くなり、内側から漏れ出た充填物は容易に外に出てしまうという問題がある。【００１３】  前記実開平２−２３３６９号公報に開示のパックでは、充填物を完全に充填した後では前記実開昭５９−１３８５６８号公報に開示のパックに比し容易に密閉できる反面、開口させる際、その構造上、図１８（１）のように短端片の折込片を指先でつまむとき長端片の折込片を挟む形になるため開けにくく、また開口した後の開口部分が図１８（２）のように小さいため充填物を充填しにくいという問題がある。【００１４】  前記特開２００２−３６９７４８号公報に開示のフィルター袋では、前記実開平２−２３３６９号公報に開示のパックに比し、充填物を完全に充填した後の開口部を閉じる操作は同様に容易である上、開口部に関してはさらに密封度が高くなるが、充填物を充填する操作について、開口部を開けるとき前記実開平２−２３３６９号公報に開示のパックと同様に、図２１のように第２シートの上向き折込片２０２と下向き折込片２０１を指先でつまむとき、第Ｉシートの上向き折返し部１２を挟む形になり、開口部が開けにくく、また開口部も広く取れないため充填物を入れにくいという問題がある。【００１５】  そこで、本発明は、充填物がこぼれ出さない密封度の高いフィルター用袋であって、充填物を入れるとき、開口部を開け易くし、充填物を容易に充填でき、かつ充填物を充填した後の開口部を閉じる操作が容易であるフィルター用袋を提案しようとしてなされたものである。
【課題を解決するための手段】
【００１６】  本発明は、下端部が繋がり、互いに重なり合うシートについて、上方部の重なり合った面を共に下向きに折返し、さらに下向きに折返した部分よりシートの端側にあり重なり合った他の面を再度共に上向きに折返した状態で、互いに重なり合うシートの左右側縁を接合して、互いに重なり合うシートの間にポケットを形成するフィルター用袋に係る。【００１７】  このフィルター袋に係る本発明の特徴は、前記上方部の重なり合った面を下向き折返し部で下向きに折返し、再度上向きに折返すのは外向きとし、上向きに折返したときの上方部の重なり合った上方端部は、前記下向き折返し部より上の位置にあり、かつ、前記フィルター用袋の折返す方向で端側に位置するシートの長さは、前記重なり合った上方端部よりも長く形成していることにある。
【発明の効果】
【００１８】  本発明は、上記のように、これまでのフィルター袋において、充填物を充填する操作を容易にするに伴い充填物の密閉度が低くなったり、逆に密閉度を高めようとすると充填物を充填する操作が難しくなったりするこれまでの傾向に対して、密閉度を高めた状態で、充填物を充填する操作が容易にできるフィルター袋を提供するものである。すなわち、下向き折返し部で下向きに折返し、再度外向きに上向きに折返したときの上方部の重なり合った上方端部が前記下向き折返し部より上にあることにより開口部を広く取ることができ、かつ前記フィルター袋の折返す方向の端に位置するシートの長さを長く取ることにより、フィルター用袋の上下を同時に引張るだけで開口部を容易に開けることができるだけでなく、充填物を入れる際にその長い方の面が指あるいはスプーン等の器具を当てる壁になって充填物が入れ易くなる。またフィルター用袋の各シートの上端部からの開口部の構造上、充填物の充填を妨げないので、充填物の充填を容易に達成できる。充填物の充填後は、フィルター用袋の下向き折返し部と上向き折返し部の間の左右両側縁を引張るだけで容易に開口部が２ケ所の折返し部で封止され、密封度が高い状態を保つことができ、本発明のフィルター用袋に充填物を充填し、長時間煮沸しても内部の充填物が漏れ出すことがなく、この種のフィルター用袋としてさらに利便性に富むものとなる。
【図面の簡単な説明】
【００１９】
【図１】本発明の実施例にかかるフィルター用袋の正面図
【図２】図１フィルター用袋の中心部の断面図
【図３】図１フィルター用袋の使用状態の中心部の断面図
【図４】図１フィルター用袋の使用状態説明図
【図５】図１フィルター用袋の使用状態説明図
【図６】図５使用状態説明図に対する比較用図面
【図７】図１フィルター用袋の使用態様説明図
【図８】先行例（実開昭５９−１３８５６８号）にかかるパックの正面図
【図９】図８パックの中心部の断面図
【図１０】図８パックの使用状態正面図
【図１１】図１０使用状態正面図の中心部の断面図
【図１２】先行例（実開平１−１７８０３８号）にかかる煎じ袋の正面図
【図１３】図１２煎じ袋の中心部の断面図
【図１４】図１２煎じ袋の使用状態の中心部の断面図
【図１５】先行例（実開平２−２３３６９号）にかかるパックの正面図
【図１６】図１５パックの中心部の断面図
【図１７】図１５パックの使用状態の中心部の断面図
【図１８】図１５パックの使用状態の真上からみた説明図
【図１９】先行例（特開２００２−３６９７４８号）にかかるフィルター用袋の正面図
【図２０】図１９フィルター用袋の中心部の断面図
【図２１】図１９フィルター用袋の説明図
【発明を実施するための形態】
【００２０】  添付の図面を参照してこの発明の詳細を説明すると、以下のとおりである。
【００２１】  図１は、本発明のフィルター用袋の正面図であり、図２は図１の中心部の断面図である。図１、図２に例示するように、本発明は、フィルター作用を有する、下端部３で繋がっている第１シート１と第２シート２とで構成され、第１シートの下向き折返し部１１、第２シートの下向き折返し部２１で下向きに折返し、さらに第１シートの上向き折返し部１２、第２シートの上向き折返し部２２で外向きに上向きに折返され、これらが重なった状態で、これらのシートの左側縁接合部５、右側縁接合部６を接合し、内部にポケット４をもつようになした袋体で構成されている。これらの両側縁接合部は、図では左右端から離れて接合しているように描かれているが、もちろん左右端から接合されていても本発明の効果には影響しない。
【００２２】  第Ｉシートの上向き折返し片で下向き折返し部の位置にある第１シートの下向き折返し同位置部を１３、第２シートの下向き折返し同位置部を２３、第１シート上方端部を１４、第２シートの第１シート上方端同位置部を２４とすると、開口部はそれらに対応させることができる。すなわち図１および図２において、充填物は、第１シート端同位置部にある開口部４４、下向き折返し同位置部にある開口部４３、上向き折返し部にある開口部４２、下向き折返し部にある開口部４１を経由してポケット４に充填されることになる。
【００２３】  図１、図２において、下向き折返し部１１、４１、２１の位置に対して、第１シート上方端部１４の位置は高く構成しており、第１シートの上方端部１４よりも第２シート上方端部２５の方を長く形成している。
【００２４】  次に図示例示のフィルター用袋の使用方法を説明すると、未使用状態では、図２に例示するように扁平状である。例示ではシートの厚みを厚く描いているが、実際は０．１ｍｍ程度の薄さであり、全体に対し、重なり合った部分の厚みはほとんど気にならない程度である。逆に、それ故、開口部を探して広げる操作は難しいものとなる、
【００２５】  開口部を外部に対して開放するためには、図４（１）、（２）に例示するように、第２シートの上方端部２５を指でつまんで左上方に引張ると同時に、袋体の下端部３を指でつまんで下方に引張ると第１シート上方端部１４と第２シートの第１シート上方端同位置部２４の間に、開口部４４のところに隙間ができる。
【００２６】  隙間のでき具合について、前記特開２００２−３６９７４８号公報の先行例のように第１シート上方端部１４が短く、第１シートの下向き折返し同位置部１３の部分までしかない場合は、ほとんど隙間はできず、この方法で開口部を広げるのは難しい。本発明は第１シート上方端部１４の位置が、第１シート下向き折返し部１１よりも長くすることによりその不都合を解決している。
【００２７】  図５の例示は、本発明の袋体中心部の断面図であり、扁平状の状態（１）から袋体の上下の部分を引張ったときのシートが変化した状態（２）を図示したものであり、図６の例示は、図５に対して第１シートの上端部１５’が第２シート上端部２４’よりも長い場合に扁平状の状態（１）から同様に上下を引張ったときのシートの変化した状態（２）を図示したものである。本発明による図５（２）では袋体の上下の部分を引張ったとき、開口部に隙間ができるのに対して、図６（２）ではほとんど隙間ができず不都合である。
【００２８】  図５（３）は、開口部４４を広げて、充填物を充填させる場合、袋体の中心部の断面図開口部４４付近（図５（２）のＡ）を図示したものである。また、図５（４）はそれを真上から図示したものである。開口部４４は、第１シートの下向き折返し部１１が第１シートの上方端部１４より外側に配置されるため、開口部４４から入った充填物は途中で引っ掛かるものがなく、下側に容易に充填されることになる。また、第２シートの上方端部２５が、第１シートの上方端部１４よりも長く取っているため、第２シートの第１シート上方端同位置部２４のところで充填する際の充填物を入れるスプーン等の器具のストッパーの役割を果たすことになり、充填する操作がさらに容易になる。
【００２９】  一方、図６のように、第１シートの上方端部１５’が第２シート上方端部２４’より長い場合には開口部４４’を広げたとき開口部４４’付近（図６（２）のＢ）の図６（３）およびそれを真上から図示した図６（４）によると、第２シートの上端部２４’に対して第２シートの下向き折返し部１１’が内側に配置されるため、入口開口部４４’から入った充填物が下向き折返し部１１’の部分で引っ掛かることになり、また入口開口部も内側に狭められるため充填物の充填に支障が出る。本発明では、図５（３）のように第２シートの上方端部２５を第１シートの上方端部１４より長く取っているため上記支障はなくなる。
【００３０】  また、図５（１）の第１シートの上方端部１４を第１シート下向き折返し部１１と同じ長さになっている場合、その上方端部を１４’とし、図５（２）の開口部付近Ａに相当する付近をＡ’とすると、図６（５）のようになり開口部４４’が図５の場合よりも狭くなる上、充填物が第１シートの上方端部１４’と下向き折返し部１１との間にひっかかり易くなり不都合が生じる。本発明では、第１シートの上方端部１４を第１シート下向き折返し部１１より高くとっているので上記不都合はないことになる。
【００３１】  充填物の充填後は、図１、図２の例示の下側折返し部と上側折返し部のシートが重なり合っている部分の左右側縁接合部５０、６０を指でつまんで同時に左右方向に引張れば隙間は容易に閉じられて入口開口部は封止され、図３に例示される状態になる。この封止状態においては、開口部は、第１シートと第２シートの下向き折返し部１１、２１と上向き折返し部１２、２２で二重に封止され密閉度が高い状態を保ち、内部の充填物の漏れ出しを防止することができる。
【００３２】  以上の操作を、図７にて順を追って例示する。本発明のフィルター用袋（１）の上下端の部分を同時に上下に引張ると（２）のように上部入口開口部が開く。この部分を指又はスプーン等で広げると（３）のようになる。（４）ではシートの上部の長い方を内側にして充填物の入ったスプーンをシートの長い方の面にあてながら充填物をフィルター用袋に充填する。充填が完了したら（５）のようにシートが重なり合っている部分を同時に左右に引張ると（６）のように充填物が封止された状態となる。
【符号の説明】
【００３３】  １  第１シート
２  第２シート
３  下端部
４  ポケット
５  左側縁接合部
６  右側縁接合部
１１  第Ｉシート下向き折返し部
１２  第１シート上向き折返し部
１３  第１シート下向き折返し同位置部
１４  第１シート上方端部
２１  第２シート下向き折返し部
２２  第２シート上向き折返し部
２３  第２シートの下向き折返し同位置部
２４  第２シートの第１シート上方端同位置部
２５  第２シート上方端部
４１  上記１１と２１の間の開口部
４２  上記１２と２２の間の開口部
４３  上記１３と２３の間の開口部
４４  上記１４と２４の間の開口部
５０  下向き折返し部と上向き折返し部の間の左側縁接合部
６０  下向き折返し部と上向き折返し部の間の右側縁接合部。
【図１】
2013107699.tif 000003
【図２】
2013107699.tif 000004
【図３】
2013107699.tif 000005
【図４】
2013107699.tif 000006
【図５】
2013107699.tif 000007
【図６】
2013107699.tif 000008
【図７】
2013107699.tif 000009
【図８】
2013107699.tif 000010
【図９】
2013107699.tif 000011
【図１０】
2013107699.tif 000012
【図１１】
2013107699.tif 000013
【図１２】
2013107699.tif 000014
【図１３】
2013107699.tif 000015
【図１４】
2013107699.tif 000016
【図１５】
2013107699.tif 000017
【図１６】
2013107699.tif 000018
【図１７】
2013107699.tif 000019
【図１８】
2013107699.tif 000020
【図１９】
2013107699.tif 000021
【図２０】
2013107699.tif 000022
【図２１】
2013107699.tif 000023